(57)【要約】【課題】用紙を斜行させずに搬送するための手段を提供する。【解決手段】トラクタベルトをフレームで支持した一対のトラクタ部を用紙の幅方向に同軸上に設け、前記トラクタベルトのスプロケットピンに両側のスプロケット孔を挿入させた用紙を前記トラクタベルトの回転によって搬送する用紙搬送装置において、前記スプロケットピンが挿入された用紙の側端部を覆えるように前記フレームに開閉可能に取り付けられたトラクタカバーと、該トラクタカバーと一体に形成され、前記トラクタカバーが閉じたときに用紙の搬送経路から退避して前記トラクタカバーが開いたときに前記搬送経路を遮る基準面とを設けたことを特徴とする。【選択図】図７
2011235503.tif 000002
【特許請求の範囲】
【請求項１】
トラクタベルトをフレームで支持した一対のトラクタ部を用紙の幅方向に同軸上に設け、前記トラクタベルトのスプロケットピンに両側のスプロケット孔を挿入させた用紙を前記トラクタベルトの回転によって搬送する用紙搬送装置において、
前記スプロケットピンが挿入された用紙の側端部を覆えるように前記フレームに開閉可能に取り付けられたトラクタカバーと、該トラクタカバーと一体に形成され、前記トラクタカバーが閉じたときに用紙の搬送経路から退避して前記トラクタカバーが開いたときに前記搬送経路を遮る基準面とを設けたことを特徴とする用紙搬送装置。
【請求項２】
請求項１に記載の用紙搬送装置において、
前記トラクタカバーが開いているときに、前記基準面に用紙の前端を突き当てて用紙の前端の位置を揃え、前記トラクタカバーを閉じて用紙を搬送することを特徴とする用紙搬送装置。
【請求項３】
請求項１または請求項２に記載の用紙搬送装置において、
前記フレームに挿通し、前記トラクタ部の用紙の幅方向への移動を案内するガイドシャフトと、該ガイドシャフトの外周面に接触するロック片とを設け、
前記トラクタカバーに前記ロック片と対向するロックカムを形成し、
前記トラクタカバーが閉じたとき、前記ロックカムが前記ロック片を押圧することで、前記ロック片が前記ガイドシャフトを締め付けて前記トラクタ部を固定することを特徴とする用紙搬送装置。
【請求項４】
印字ヘッドを備えて、トラクタベルトをフレームで支持した一対のトラクタ部を用紙の幅方向に同軸上に設け、前記トラクタベルトのスプロケットピンに両側のスプロケット孔を挿入させた用紙を前記トラクタベルトの回転によって搬送し、前記印字ヘッドによって搬送した用紙に印刷を行う印刷装置において、
前記スプロケットピンが挿入された用紙の端部を覆えるように前記フレームに開閉可能に取り付けられたトラクタカバーと、該トラクタカバーと一体に形成され、前記トラクタカバーが閉じたときに用紙の搬送経路から退避して前記トラクタカバーが開いたときに前記搬送経路を遮る基準面とを設けたことを特徴とする印刷装置。
【請求項５】
請求項４に記載の印刷装置において、
前記トラクタカバーが開いているときに、前記基準面に用紙の前端を突き当てて用紙の前端の位置を揃え、前記トラクタカバーを閉じて用紙を搬送することを特徴とする印刷装置。
【請求項６】
請求項４または請求項５に記載の印刷装置において、
前記フレームに挿通し、前記トラクタ部の用紙の幅方向への移動を案内するガイドシャフトと、該ガイドシャフトの外周面に接触するロック片とを設け、
前記トラクタカバーに前記ロック片と対向するロックカムを形成し、
前記トラクタカバーが閉じたとき、前記ロックカムが前記ロック片を押圧することで、前記ロック片が前記ガイドシャフトを締め付けて前記トラクタ部を固定することを特徴とする印刷装置。
【発明の詳細な説明】
【技術分野】
【０００１】
本発明は、用紙の搬送を行う用紙搬送装置および印刷装置に関し、特に用紙を斜行させずに搬送するための技術に関する。
【背景技術】
【０００２】
従来の用紙搬送装置は、トラクタカバーを開いた状態でトラクタベルトに設けられたスプロケットピンを用紙のスプロケット孔に通した状態にしてトラクタカバーを閉じることで、用紙をトラクタユニットにセットしている（例えば、特許文献１参照。）。
【先行技術文献】
【特許文献】
【０００３】
【特許文献１】特開２００５−３４３０４０号公報（段落「００３３」−段落「００３４」、図５、図６）
【発明の開示】
【発明が解決しようとする課題】
【０００４】
しかしながら、上述した従来の技術においては、用紙のスプロケット孔の左右位相関係と、トラクタベルトの左右位相関係とが一致していない場合、用紙が斜め向きの状態で搬送されてしまうこととなってスキューや搬送ジャム等の不具合を引き起こす原因となってしまうという問題がある。
【０００５】
本発明は、上記の問題点を解決するための手段を提供することを目的とする。
【課題を解決するための手段】
【０００６】
本発明は、上記課題を解決するために、トラクタベルトをフレームで支持した一対のトラクタ部を用紙の幅方向に同軸上に設け、前記トラクタベルトのスプロケットピンに両側のスプロケット孔を挿入させた用紙を前記トラクタベルトの回転によって搬送する用紙搬送装置において、前記スプロケットピンが挿入された用紙の側端部を覆えるように前記フレームに開閉可能に取り付けられたトラクタカバーと、該トラクタカバーと一体に形成され、前記トラクタカバーが閉じたときに用紙の搬送経路から退避して前記トラクタカバーが開いたときに前記搬送経路を遮る基準面とを設けたことを特徴とする。
【発明の効果】
【０００７】
これにより、本発明は、用紙の前端の位置を左右で揃えることができ、用紙を斜行した状態で搬送してしまうことを防止することができるという効果が得られる。
【図面の簡単な説明】
【０００８】
【図１】実施例１の印刷装置の構成を示す説明図
【図２】実施例１のトラクタ部の構造を示す説明図
【図３】実施例１のロックレバを示す説明図
【図４】実施例１のトラクタカバーを示す斜視図
【図５】実施例１のトラクタカバーを開いた状態のトラクタ部を示す説明図
【図６】実施例１のトラクタカバーを閉じた状態のトラクタ部を示す説明図
【図７】実施例１の印刷装置に用紙をセットする様子を示す説明図
【図８】実施例２のトラクタカバーを示す説明図
【図９】実施例２のフレーム部品を示す説明図
【図１０】実施例２のロックカムによる筒状部を押圧の様子を示す説明図
【発明を実施するための最良の形態】
【０００９】
以下に、図面を参照して本発明による用紙搬送装置の実施例について説明する。
【実施例１】
【００１０】
図１は実施例１の印刷装置の構成を示す説明図である。
【００１１】
図１において、１は用紙搬送装置としての印刷装置である。
【００１２】
２はトラクタユニットであり、ドライブシャフト３、ガイドシャフト４とを所定の間隔をあけて対向配置させると共に各シャフトの両端部を図示しないサイドフレームで保持し、ドライブシャフト３とガイドシャフト４の中央部から一方のサイドフレームに向かって所定の間隔を空けてトラクタ部７を配し、また他方のサイドフレームに向かって所定の間隔を空けてトラクタ部８を配し、ＬＦモータ９の駆動を受けて回転するドライブシャフト３によってトラクタ部７、８が駆動して用紙を搬送する。
【００１３】
１０はプラテンであり、円状断面に形成されており、用紙の搬送方向におけるトラクタユニット２の下流に配され、図示しない駆動機構を介して上記のＬＦモータによるトラクタ部７、８の駆動と同期して回転する。
【００１４】
１２は印字ユニットであり、円状断面のキャリッジシャフト１３および、断面がコの字状のスライドレール１４、印字ヘッド１５を取り付けたキャリッジ１６等によって構成し、キャリッジシャフト１３およびスライドレール１４をプラテン１０と平行な向きにして所定の間隔を空けて配置すると共に、キャリッジシャフト１３とスライドレール１４間でキャリッジ１６がキャリッジシャフト１３とスライドレール１４の軸方向にスライド移動可能な状態で取り付けられ、プラテン１０に巻きついた用紙に印字を行う。
【００１５】
なお、キャリッジ１６は一の側の端部がキャリッジシャフト１３を挿通させる孔を有し、他の側の端部がスライドレール１４のコの字状となっている箇所と係合する凹凸を有し、一の側の端部がキャリッジシャフト１３に挿通し他の側の端部がスライドレール１４と係合することで、キャリッジ１６はスライド移動可能に保持された状態となる。
【００１６】
ここで、図２は実施例１のトラクタ部の構造を示す説明図である。
【００１７】
なお図２はトラクタ部７の構成を示した図であるが、トラクタ部８はトラクタ部７に対して左右対称となるように、各構成要素の形状が定まっており、その構成自体はトラクタ部７と同様である。
【００１８】
トラクタ部７は、トラクタフレーム２０、トラクタホイール２１、トラクタピンベルト２２、ロックレバ２３、トラクタカバー２４等から構成されるものである。
【００１９】
トラクタホイール２１は、外周が歯車状であって内周はドライブシャフト３の断面形状に合わせた多角形状の孔で、ドライブシャフト３が嵌まる大きさの孔を形成した形状となっている。
【００２０】
トラクタピンベルト２２は、外周面に所定の間隔を空けてスプロケットピン２２ａを複数形成し、内周部分にはトラクタホイール２１の歯車に噛み合う凹凸面を形成した無端状のベルトである。
【００２１】
トラクタフレーム２０は、２個一対のフレーム部品２０ａ、２０ｂによって構成されるものであり、フレーム部品２０ａ、２０ｂ間にトラクタベルト２２を介在させるようにして組み立てることで構成されている。
【００２２】
なお、もう一つのトラクタ部８に対向するフレーム部品２０ａは、ガイドシャフト４が挿通する孔に沿うように、フレーム部品２０ｂ側のガイドシャフト４が挿通する孔に向かって延びるレバ支持片２６を備える。そのためガイドシャフト４がフレーム部品２０ａの孔に挿通したとき、レバ支持片２６はガイドシャフト４の外周面の一部を包むように接触した状態となる。
【００２３】
フレーム部品２０ｂは、その上部が搬送する用紙の下面を支える支持面２０ｃとなっており、支持面２０ｃは用紙の搬送方向の下流側がトラクタベルト２２よりも前方に突出した長さとなっている。
【００２４】
レバ支持片２６は、１８０度位相をずらした位置で２箇所に設けられ、トラクタフレーム２０を組み立てたとき、その先端部がフレーム部品２０ｂよりも外側に突出する長さとなっている。
【００２５】
フレーム部品２０ｂは、トラクタカバー２４を回転可能に支持するカバー支持溝２５が所定の間隔を持って用紙の搬送方向の前後に並んだ状態で形成されている。
【００２６】
ここで図３は実施例１のロックレバを示す説明図であり、（ａ）は側面図、（ｂ）はガイドシャフト４およびレバ支持片２６に挿通する状態を示しており、図３（ｂ）においてはトラクタユニット２のトラクタ部８とトラクタベルト２２を省略した状態で示している。
【００２７】
トラクタ部７、８は、ガイドシャフト４が挿通することによって用紙の幅方向に沿った移動が案内されている。
【００２８】
ここで、ロックレバ２３は、図３（ａ）で示すようにフレーム部品２０ｂ側から突出するレバ支持片２６およびガイドシャフト４を挿通させるシャフト挿通孔２７を一端側に備えている。
【００２９】
シャフト挿通孔２７は、径の大きさが大きい大内径部２７ａと、小さい小内径部２７ｂとを４５度位相をずらして交互に設けて形成した形状となっている。
【００３０】
ロックレバ２３を図３（ｂ）に示す状態からガイドシャフト４に挿通する際は、大内径部２７ａの部分にレバ支持片２６が通る向きにして挿通させる。そしてガイドシャフト４、レバ支持片２６へ挿通させたロックレバ２３を回動させて小内径部２７ｂをレバ支持片２６に接触させ、レバ支持片２６をガイドシャフト４側に押し付けることで、ガイドシャフト４を締め付け、ガイドシャフト４の軸方向に対するトラクタ部７の位置が固定する。
【００３１】
これによって、トラクタ部７、８の位置が決定される。
【００３２】
ここで、図４は実施例１のトラクタカバーを示す斜視図であり、上方から見た様子を示している。
【００３３】
トラクタカバー２４は、図４に示すようにトラクタベルト２２の上方に位置する上板部２８、上板部２８の一側方でトラクタカバー回転軸２９と一体型に形成された４つのカバー取付片３１、トラクタカバー回転軸２９における用紙の搬送方向の下流側の先端部から上板部２８に対して鉛直方向に形成した用紙セット基準面３０等により構成されている。
【００３４】
トラクタカバー回転軸２９は上記の２箇所のカバー支持溝２５（図２参照）に回転可能に嵌まるものである。
【００３５】
本発明においてトラクタカバー回転軸２９は、一部が途切れ軸方向に２つ並ぶように分れており、上記した２箇所のカバー支持溝２５に１つずつ嵌まる。
【００３６】
また、カバー取付片３１は、トラクタカバー回転軸２９がカバー支持溝２５に嵌まった状態で軸方向にずれてしまうのを防ぐようにカバー支持溝２５の軸方向の端部近傍に位置するように形成される。
【００３７】
トラクタカバー回転軸２９は、先端つまり搬送方向の下流側の端部がトラクタ部７、８を組み立てた際にトラクタピンベルト２２よりも前方に突出し、かつフレーム部品２０ｂの支持面２０ｃの前端と略同一の位置まで延びているものとする。
【００３８】
そのためカバー支持溝２５にトラクタカバー回転軸２９を嵌め込んで回転可能な状態にしたトラクタカバー２４を開く方向に回動した時、用紙セット基準面３０がフレーム部品２０ｂの支持面２０ｃの前端に擦れながら前方に迫り出し、これによって用紙セット基準面３０が支持面２０ｃの前方に突出する。
【００３９】
なお、トラクタカバー２４を開いたときには、支持面２０ｃの前端と用紙セット基準面３０とが接触した状態となる。
【００４０】
また、トラクタカバー２４を開閉時、用紙セット基準面３０は、近傍にある支持面２０ｃ以外の他の装置構成部品には接触しないようになっていることはいうまでもない。
【００４１】
上述した構成の作用について説明する。
【００４２】
トラクタ部７、８を構成する際に、トラクタフレーム２０、トラクタホイール２１、トラクタピンベルト２２、ロックレバ２３は、従来のものと同様にして組み合わされ、トラクタカバー２４についてはそのトラクタカバー回転軸２９をカバー支持溝２５に回転可能に嵌め込まれ組み合わされる。
【００４３】
ここで、図５は実施例１のトラクタカバーを開いた状態のトラクタ部を示す説明図であり、（ａ）は斜め上方から見た様子、（ｂ）は側方から見た様子を示している。
【００４４】
トラクタカバー２４を支持面２０ｃに対して略９０度の角度で起されて開いた状態のとき、図５（ａ）、（ｂ）に示すように用紙セット基準面３０は、用紙の搬送方向下流側の支持面２０ｃの端部に接触しながら、用紙の搬送経路の前方を遮り、かつトラクタユニット２に用紙がセットされる際の、用紙の前端部の位置を揃える位置決めの基準面として機能する。
【００４５】
次に図６は実施例１のトラクタカバーを閉じた状態のトラクタ部を示す説明図である。
【００４６】
開いた状態のトラクタカバー２４を支持面２０ｃに重ねるようにして閉じる方向に回転すると、用紙セット基準面３０が下方に回動することから、図６に示すように用紙セット基準面３０は、トラクタピンベルト２２の前方に位置しているが、支持面２０ｃから離れて用紙の搬送経路を妨げない位置に退避した状態となる。
【００４７】
上記のようにトラクタカバー２４の開閉に伴い、用紙セット基準面３０が移動してその位置が決まる。
【００４８】
トラクタユニット２へ用紙をセットする場合、左右のトラクタ部７、８のトラクタカバー２４を開き、トラクタピンベルト２２の位置と用紙に設けられたスプロケット孔の位置を合わせて用紙をセットする。
【００４９】
ここで、図７は実施例１の印刷装置に用紙をセットする様子を示す説明図である。
【００５０】
用紙をセットするためにトラクタカバー２４を開いたとき、用紙セット基準面３０が支持面２０ｃの前方に迫り出して用紙の搬送経路を妨げるように位置することから、図７に示すように用紙セット基準面３０が用紙の前端を揃えるための基準面となり、セットされる用紙の前端が直接用紙セット基準面３０に突き当てられ、用紙の前端の左右位置が揃えられる。
【００５１】
その後、トラクタカバー２４を閉じてトラクタピンベルトのピンが用紙のスプロケット孔の中心になるように、トラクタ部７、８の搬送方向の左右位置を微調整した後、ロックレバ２３を回動させて位置固定を行い、トラクタユニット２への用紙セットが完了する。
【００５２】
以上説明したように、本実施例では、トラクタカバーに用紙セット基準面を設け、用紙をセットする際に、用紙の前端を直接用紙セット基準面に突き当てることにより、用紙の前端の位置を左右で揃えることができ、用紙を斜行した状態で搬送してしまうことを防止することができるという効果が得られる。
【実施例２】
【００５３】
本実施例の印刷装置１の構成は、上記実施例１の印刷装置１に対してトラクタカバー回転軸２９と異なる形状のトラクタカバー回転軸４１を有し、さらにロックレバ２３を取り除くと共に、レバ支持片２６の代わりに筒状部を設けた点が相違する。
【００５４】
図８は実施例２のトラクタカバーを示す説明図である。
【００５５】
図８において、４０は本実施例のトラクタカバーであり、上記実施例１のトラクタカバー２４に対しトラクタカバー回転軸２９と異なるトラクタカバー回転軸４１を有している点が相違する。
【００５６】
トラクタカバー回転軸４１は、その用紙の上流側の端部がＬ字状で、かつ上板部２８に対して鉛直方向に延びるロックカム４２を形成し、図８にＡで示すロックカム４２の長さは、トラクタ部７、８を構成してトラクタカバー４０を閉じた際に、後述する筒状部４５に干渉して上から筒状部４５をガイドシャフト４側に押し付けるようにする長さとする。
【００５７】
図９は実施例２のフレーム部品を示す説明図である。
【００５８】
図９において、４５は実施例２のトラクタ部７のフレーム部品４３に設けた筒状部である。
【００５９】
筒状部４５は、筒状をもとにして図９に示すように、その断面形状における頂上部分である上側一部と、下側半分を残すようにして、それ以外の部分を切り欠いた形状とすることで、頂上部分であるロック片４５ａが弾性を持つように形成されている。
【００６０】
また筒状部４５は、ガイドシャフト４が挿通する孔に沿うように、フレーム部品２０ｂ側のガイドシャフト４が挿通する孔に向かって延びるため、ガイドシャフト４がフレーム部品２０ａの孔に挿通したとき、ガイドシャフト４の外周面の一部を包むように接触した状態となる。
【００６１】
図１０は実施例２のロックカムによる筒状部の押圧の様子を示す説明図であり、（ａ）はトラクタカバーが閉じた様子を示し（ｂ）はトラクタカバーが閉いた様子を示している。
【００６２】
図１０（ａ）に示すように、トラクタカバー４０が閉じているときは、ロックカム４２が筒状部４５のロック片４５ａに干渉し、ロック片４５ａがガイドシャフト４を押圧する。
【００６３】
これによって筒状部４５がガイドシャフト４を締め付けるように作用し、トラクタ部７、８の位置が固定される。
【００６４】
一方、トラクタカバー４０を開く方向に回転させると、図１０（ｂ）に示すようにロックカム４２が筒状部４５に対して干渉しない位置に退避するので、筒状部４５によるガイドシャフト４の締め付けが無くなり、ドライブシャフト３およびガイドシャフト４の軸方向に沿ったトラクタ部７、８の位置を動かすことが可能となる。
【００６５】
以上説明したように、本実施例では、上記実施例１の効果に加え、トラクタカバー回転軸の端部にロックカムを設けたことによって、トラクタカバーを開いたときにトラクタ部を移動可能な状態とし、トラクタカバーを閉じたときにトラクタ部を固定するようにしたため、上記実施例１のロックレバ２３を不要とし、部品削減により製品コストを低減させることができるという効果が得られる。
【符号の説明】
【００６６】
１    印刷装置
２    トラクタユニット
３    ドライブシャフト
４    ガイドシャフト
７、８トラクタ部
９    ＬＦモータ
１０  プラテン
１２  印字ユニット
１３  キャリッジシャフト
１４  スライドレール
１５  印字ヘッド
１６  キャリッジ
２０  トラクタフレーム
２０ａ、２０ｂ  フレーム部品
２０ｃ  支持面
２１  トラクタホイール
２２  トラクタピンベルト
２２ａ  スプロケットピン
２３  ロックレバ
２４、４０  トラクタカバー
２５  カバー支持溝
２６  レバ支持片
２７  シャフト挿通孔
２７ａ  大内径部
２７ｂ  小内径部
２８  上板部
２９、４１  トラクタカバー回転軸
３０  用紙セット基準面
３１  カバー取付片
４２  ロックカム
４５  筒状部
【図１】
2011235503.tif 000003
【図２】
2011235503.tif 000004
【図３】
2011235503.tif 000005
【図４】
2011235503.tif 000006
【図５】
2011235503.tif 000007
【図６】
2011235503.tif 000008
【図７】
2011235503.tif 000009
【図８】
2011235503.tif 000010
【図９】
2011235503.tif 000011
【図１０】
2011235503.tif 000012